(57)【要約】【課題】端子の挿入後にガイド部材の可動片が適正な位置に移動したか否かを容易に判別することができるコネクタ構造を提供する。【解決手段】基板の表裏にコネクタと端子のガイド部とを備えたコネクタ構造であって、ガイド部は、他方面に取り付けられたハウジングと端子の挿通経路を挟んで対峙する２つのガイド片と、２つのガイド片を互いに離間する方向に付勢する付勢部材とを備えており、ハウジングに第１の導体と第２の導体と第３の導体とを含む導体パターンが設けられており、２つのガイド片は端子がコネクタへ挿入された状態で付勢力に抗して停止する第１の位置から付勢力が解放される第２の位置へと移動可能であり、２つのガイド片の一方は第１の導体と第３の導体とを短絡させる第１の短絡パターンを有しており、２つのガイド片の他方は導体パターンに当接すると第２の導体と第３の導体とを短絡させる第２の短絡パターンを有している。【選択図】図４
2017142905.tif 000002
【特許請求の範囲】
【請求項１】
基板の一方面上に設けられたコネクタと、前記基板の他方面上に設けられ、前記コネクタに前記基板の前記他方面側から挿入される端子をガイドするガイド部とを備えたコネクタ構造であって、
前記ガイド部は、前記基板の前記他方面に取り付けられたハウジングと、前記ハウジングの内側で前記端子を前記コネクタへガイドする挿通経路を挟んで対峙する２つのガイド片と、前記２つのガイド片を互いに離間する方向に付勢する付勢部材とを備えており、
前記ハウジングに、一端が前記基板に接続された第１の導体と、前記第１の導体と電気的に分離された状態で一端が前記基板に接続された第２の導体と、前記第１の導体および前記第２の導体と電気的に分離された第３の導体とを含む導体パターンが設けられており、
前記２つのガイド片は、前記端子が前記挿通経路を介して前記コネクタへ挿入された状態で、前記付勢部材の付勢力に抗して停止する第１の位置から、前記付勢力が解放される第２の位置へと移動可能であり、
前記２つのガイド片の一方は、前記第２の位置において前記付勢力が解放されて前記２つのガイド片が前記互いに離間する方向に移動したことにより、前記導体パターンに当接すると前記第１の導体と前記第３の導体とを短絡させる第１の短絡パターンを有しており、
前記２つのガイド片の他方は、前記第２の位置において前記付勢力が解放されて前記２つのガイド片が前記互いに離間する方向に移動したことにより、前記導体パターンに当接すると前記第２の導体と前記第３の導体とを短絡させる第２の短絡パターンを有している、コネクタ構造。
【発明の詳細な説明】
【技術分野】
【０００１】
本発明は、端子の挿入後に端子をガイドする部材を退避位置に移動させる構成を備えたコネクタ構造に関する。
【背景技術】
【０００２】
特許文献１には、基板を挟んで、雌コネクタと、雌コネクタに挿入されるコンタクト（雄端子）のガイド部材としてのガイドコネクタとが配置されるコネクタ構造が開示されている。ガイドコネクタはコンタクトの挿通経路を挟む２つの可動片を有している。コンタクトが挿入された状態で雌コネクタ側からスライダーを押し下げることによって、ガイドコネクタの２つの可動片が互いに斜め下方の両脇へと離間する。
【先行技術文献】
【特許文献】
【０００３】
【特許文献１】特開２０１４−１５４４５２号公報
【発明の概要】
【発明が解決しようとする課題】
【０００４】
上記従来のコネクタ構造においては、ガイド部材が基板の裏側に密集配置されるので、雄端子の挿入後にガイド部材の可動片が適正な位置に移動したか否かが分かりにくいという問題がある。可動片が開放不良となってコンタクトに接触すると、車両振動により端子破損に至る虞がある。
【０００５】
本発明は、上記課題に鑑み、端子の挿入後にガイド部材の可動片が適正な位置に移動したか否かを容易に判別することができるコネクタ構造を提供するものである。
【課題を解決するための手段】
【０００６】
本発明は、基板の一方面上に設けられたコネクタと、前記基板の他方面上に設けられ、前記コネクタに前記基板の前記他方面側から挿入される端子をガイドするガイド部とを備えたコネクタ構造であって、前記ガイド部は、前記基板の前記他方面に取り付けられたハウジングと、前記ハウジングの内側で前記端子を前記コネクタへガイドする挿通経路を挟んで対峙する２つのガイド片と、前記２つのガイド片を互いに離間する方向に付勢する付勢部材とを備えており、前記ハウジングに、一端が前記基板に接続された第１の導体と、前記第１の導体と電気的に分離された状態で一端が前記基板に接続された第２の導体と、前記第１の導体および前記第２の導体と電気的に分離された第３の導体とを含む導体パターンが設けられており、前記２つのガイド片は、前記端子が前記挿通経路を介して前記コネクタへ挿入された状態で、前記付勢部材の付勢力に抗して停止する第１の位置から、前記付勢力が解放される第２の位置へと移動可能であり、前記２つのガイド片の一方は、前記第２の位置において前記付勢力が解放されて前記２つのガイド片が前記互いに離間する方向に移動したことにより、前記導体パターンに当接すると前記第１の導体と前記第３の導体とを短絡させる第１の短絡パターンを有しており、前記２つのガイド片の他方は、前記第２の位置において前記付勢力が解放されて前記２つのガイド片が前記互いに離間する方向に移動したことにより、前記導体パターンに当接すると前記第２の導体と前記第３の導体とを短絡させる第２の短絡パターンを有している。
【０００７】
本発明によれば、端子が挿通経路を介してコネクタへ挿入された状態で、２つのガイド片が第１の位置から第２の位置へ移動すると、２つのガイド片は付勢力によって挿通経路を挟んで互いに離間する方向に移動する。この移動により、２つのガイド片の一方に設けられた第１の短絡パターンがハウジングに設けられた第１の導体と第３の導体とを短絡させ、２つのガイド片の他方に設けられた第２の短絡パターンがハウジングに設けられた第２の導体と第３の導体とを短絡させる。これにより、第１の導体と第２の導体とが導通する、すなわち導体パターンの全体が導通する。
【０００８】
従って、第１の導体の一端および第２の導体の一端が接続された基板から、導体パターンの全体が導通しているか否かを検査することにより、２つのガイド片が適正な位置に移動したか否かを検査することができる。
【発明の効果】
【０００９】
本発明によれば、端子の挿入後にガイド部材の可動片が適正な位置に移動したか否かを容易に判別することができるコネクタ構造を提供することができる。
【図面の簡単な説明】
【００１０】
【図１】本発明の実施形態に係るコネクタ構造の実装状態の構成を示す斜視図
【図２】本発明の実施形態に係るコネクタ構造をコネクタ構造幅方向に切断した断面図であり、（ａ）はガイド片が移動する前の状態を示す図、（ｂ）はガイド片が移動した後の状態を示す図
【図３】本発明の実施形態に係るコネクタ構造のガイド片が移動する前におけるガイドハウジングとガイド片との位置関係を示す斜視図であり、（ａ）は一方のガイド片と対応するガイドハウジングの壁部との組合せ状態を示す図、（ｂ）は他方のガイド片と対応するガイドハウジングの壁部との組合せ状態を示す図
【図４】本発明の実施形態に係るコネクタ構造のガイド片が移動した後におけるハウジングとガイド片との位置関係を示す斜視図であり、（ａ）は一方のガイド片と対応するガイドハウジングの壁部との組合せ状態を示す図、（ｂ）は他方のガイド片と対応するガイドハウジングの壁部との組合せ状態を示す図
【図５】本発明の実施形態に係るコネクタ構造のガイドハウジングに設けられる導体の構成を示す斜視図であり、（ａ）は第１の導体の構成を示す図、（ｂ）は第２の導体の構成を示す図、（ｃ）は第３の導体の構成を示す図
【図６】本発明の実施形態に係るコネクタ構造のガイド片の構成を示す斜視図であり、（ａ）は一方のガイド片の構成を示す図、（ｂ）は他方のガイド片の構成を示す図
【図７】本発明の実施形態に係るコネクタ構造の基板との接続関係および検査構成を示す図であり、（ａ）はガイド部と基板との接続関係および導通経路を示す断面図、（ｂ）は複数のコネクタ構造をまとめて検査する構成を示す図
【発明を実施するための形態】
【００１１】
以下、図面を参照しながら、実施の形態について詳細に説明する。
[概要]
本実施形態に係るコネクタ構造は、端子が挿通経路を介してコネクタへ挿入された状態で、２つのガイド片が解放された付勢力によって挿通経路を挟んで互いに離間する方向に移動する構成において、さらに次の構成を備える。２つのガイド片が互いに離間する方向へ移動することにより、一方のガイド片に設けられた第１の短絡パターンがハウジングに設けられた第１の導体と第３の導体とを短絡させ、他方のガイド片に設けられた第２の短絡パターンがハウジングに設けられた第２の導体と第３の導体とを短絡させる。これにより、第１の導体と第２の導体とが導通する、すなわち導体パターンの全体が導通する。従って、第１の導体の一端および第２の導体の一端が接続された基板から、導体パターンの全体が導通しているか否かを検査することにより、２つのガイド片が適正な位置に移動したか否かを検査することができる。
【００１２】
［コネクタ構造の構成］
図１に、本実施形態に係るコネクタ構造１を、基板２に実装された状態で示す。基板２に、１つ以上のコネクタ構造１が実装されている。コネクタ構造１はコネクタ１ａとガイド部１ｂとを備えている。後述するようにガイド部１ｂは可動部（ガイド片２２ａ、ガイド部２２ｂ）を有しており、ここで、当該可動部の移動方向である方向ｊを定義する。また、基板面（以下、「基板面」を単に「基板面」と称する。）に沿って方向ｊと直交する方向ｉ、および、基板面に直交する方向ｋを定義する。
【００１３】
図２に、コネクタ構造１を方向ｉに直交する面で切断して得られるＡＢ線断面図を示す。ＡＢ線が通過する位置の詳細については後述する。
【００１４】
コネクタ１ａは、信号や電源を伝達するピン状の端子Ｌを有するユニット３から１つ以上の当該端子Ｌが挿入される雌コネクタである。コネクタ１ａは基板２の一方面上（当該一方面を表面とする。）に、例えば半田付けにより、取り付けられている。コネクタ１ａが備えるコネクタハウジング１１内に、挿入された端子Ｌと接触する導通端子が設けられている（図示を省略する）。
【００１５】
また、コネクタ１ａは押込み部１２を備えている。図２（ａ）に示すように、押込み部１２は、基板２に設けられた貫通孔Ｚを介して、ガイド部１ｂの可動部（より詳細には、ガイド片２２ａおよびガイド片２２ｂの基板２側の端部）に当接している。押込み部１２は、基板面に向かう力Ｆで押し込まれることにより、図２（ｂ）に示すように、コネクタハウジング１１に対して基板面を貫く方向にスライド移動し、可動部を当該方向に押し下げる。なお、押込み部１２は、コネクタ１ａへの端子Ｌの挿入と干渉しない任意の位置に設けられ得る。また、基板２の表面には、ガイド部１ｂの可動部が適正な位置（正規の退避位置）に移動したか否かを検査するための検査端子ＴＰ１および検査端子ＴＰ２が設けられている。
【００１６】
ガイド部１ｂは、図１および図２に示すように、ガイドハウジング２１と、ガイド片２２ａおよびガイド片２２ｂと、ばね２２ｘとを備えている。以後のガイド部１ｂの説明において、「外側」とは、コネクタ構造１ごとに端子Ｌの挿通経路Ｐから方向ｊに沿って離れる側を指し、「内側」とはコネクタ構造１ごとに端子Ｌの挿通経路Ｐに方向ｊに沿って近付く側を指す。
【００１７】
ガイドハウジング２１は、基板２の他方面上（当該一方面を表面とする。）に、例えば半田付けにより、取り付けられたハウジングである。ガイドハウジング２１は、基板２の裏面上に起立して基板２の貫通孔Ｚを取り囲む４つの壁部を備えている。当該４つの壁部のうち、方向ｊに対向する壁部２１ａと壁部２１ｂとには、それぞれ内外に連通する窓部Ｗが設けられている。貫通孔Ｚを取り囲むガイドハウジング２１の基板２側の開口には、ガイド片２２ａおよびガイド片２２ｂの基板２側の端部が挿通される。
【００１８】
ガイド片２２ａおよびガイド片２２ｂと、ばね２２ｘとは、ガイド部１ｂの可動部を構成している。可動部は、図示しない支持機構により、基板２またはガイドハウジング２１などに取り付けられている。ガイド片２２ａおよびガイド片２２ｂは、ガイドハウジング２１の内側で、基板２の裏面側から挿入される端子Ｌをコネクタ１ａへガイドする挿通経路Ｐを挟んで対峙している。ばね２２ｘ（付勢部材）は、例えば圧縮ばねとされたコイルばねであり、ガイド片２２ａおよびガイド片２２ｂを互いに方向ｊに沿って離間させるように付勢する。ばね２２ｘは、コネクタ１ａへの端子Ｌの挿入と干渉しない任意の位置に設けられ得る。図２（ａ）は、ガイド片２２ａおよびガイド片２２ｂの方向ｋにおける位置が、ばね２２ｘの付勢力に抗して停止する第１の位置にある状態を示している。この場合に、ガイド片２２ａは壁部２１ａの内側面に当接するとともに、ガイド片２２ｂは壁部２１ｂの内側面に当接しており、ばね２２ｘの付勢力は解放されない。図２（ｂ）は、コネクタ１ａに端子Ｌが挿入されて押込み部１２が押し込まれたことにより、ガイド片２２ａおよびガイド片２２ｂの方向ｋにおける位置が第１の位置からばね２２ｘの付勢力が解放される第２の位置に変化した結果、ガイド片２２ａおよびガイド片２２ｂが互いに離間する方向に移動した状態を示している。
【００１９】
[ガイドハウジングおよびガイド片の詳細な構成]
以下では、ガイドハウジング２１およびガイド片２２ａおよびガイド片２２ｂの詳細な構成を、図２と図３〜図６とを組み合わせながら説明する。
【００２０】
図３に、コネクタ構造１に端子Ｌが挿入される前の状態における、ガイドハウジング２１とガイド片２２ａおよびガイド片２２ｂとの位置関係を示す。図３（ａ）は、ガイドハウジング２１内にガイド片２２ａおよびガイド片２２ｂが収容された状態を壁部２１ａを望むように視た場合の斜視図である。図３（ｂ）は、ガイドハウジング２１内にガイド片２２ａおよびガイド片２２ｂが収容された状態を壁部２１ｂを望むように視た場合の斜視図である。図１に示したＡＢ線は、以下に説明する接点ｍ１１および接点ｍ２１を通って基板面に直交する面上にある。
【００２１】
ガイドハウジング２１は、導体Ｍ１（第１の導体）、導体Ｍ２（第２の導体）、および、導体Ｎ（第３の導体）を備えている。図５（ａ）に、導体Ｍ１の構成例を示す。導体Ｍ１は、板状をなし、接続端子ｍ１０、接点ｍ１１、および、フィーダ部ｑ１を備えている。接続端子ｍ１０は、導体Ｍ１の一端に設けられ、ガイドハウジング２１の外部に露出した端子であり、基板２の裏面に接続される。フィーダ部ｑ１は、一端が接続端子ｍ１０に接続され、ガイドハウジング２１の１つ以上の壁部の内側面に引き回された状態に取り付けられる。ここでは、フィーダ部ｑ１は隣接する２つの壁部の各内面に引き回されるように、当該壁部どうしの境界をなす角部に沿って折り曲げられている。接点ｍ１１は、フィーダ部ｑ１の他端部の一部が内側に向けて隆起した接点である。フィーダ部ｑ１の、接点ｍ１１が設けられた部分は、ガイドハウジング２１の窓部Ｗ上に延設される。また、図５（ｂ）に、導体Ｍ２の構成例を示す。導体Ｍ２は、導体Ｍ１の接続端子ｍ１０を接続端子ｍ２０に、接点ｍ１１を接点ｍ２１に、フィーダ部ｑ１をフィーダ部ｑ２に、それぞれ置き換えたものであり、これらの構成は導体ｍ１と同様である。
【００２２】
図５（ｂ）に、導体Ｎの構成例を示す。導体Ｎは、板状をなし、接点ｎ１１、接点ｎ１２、および、フィーダ部ｒを備えている。フィーダ部ｒは、接点ｎ１１が設けられた一端部と、接点ｎ１２が設けられた他端部との間で引き回された状態に、ガイドハウジング２１の壁部の内側面に取り付けられる。ここでは、当該一端部が壁部２１ａの内側面に取り付けられるとともに、当該他端部が壁部２１ｂの内側面に取り付けられ、当該一端部と当該他端部との間を結ぶ部分が、壁部２１ａと壁部２１ｂとの間に位置する壁部の内側面に取り付けられるよう、各壁部どうしの境界をなす角部に沿って折り曲げられている。接点ｎ１はフィーダ部ｒの一端部の一部が内側に向けて隆起した接点であり、接点ｎ１２はフィーダ部ｒの他端部の一部が内側に向けて隆起した接点である。当該一端部の接点ｎ１１が設けられた部分、および、当該一端部の接点ｎ１２が設けられた部分は、ガイドハウジング２１の窓部Ｗ上に延設される。
【００２３】
図３（ａ）において、導体Ｍ１の接続端子ｍ１０は、壁部２１ａと壁部２１ｂとの間に位置する一方の壁部である壁部２１ｃから外部に露出している。導体Ｍ１のフィーダ部ｑ１は、壁部２１ｃおよび壁部２１ａの各内側面に取り付けられている。導体Ｍ１の接点ｍ１１は、フィーダ部ｑ１の、壁部２１ａに設けられた窓部Ｗ上に延設された部分から内側に向かって隆起している。
【００２４】
図３（ｂ）において、導体Ｍ２の接続端子ｍ２０は、壁部２１ａと壁部２１ｂとの間に位置する他方の壁部である壁部２１ｄから外部に露出している。導体Ｍ２のフィーダ部ｑ２は、壁部２１ｄおよび壁部２１ｂの各内側面に取り付けられている。導体Ｍ２の接点ｍ２１は、フィーダ部ｑ２の、壁部２１ｂに設けられた窓部Ｗ上に延設された部分から内側に向かって隆起している。
【００２５】
図３（ａ）および図３（ｂ）において、導体Ｎのフィーダ部ｒは、壁部２１ａ、壁部２１ｂ、および、壁部２１ｄの各内側面に取り付けられている。接点ｎ１１は、フィーダ部ｒの、壁部２１ａに設けられた窓部Ｗ上に延設された部分から内側に向かって隆起している。接点ｎ１２は、フィーダ部ｒの、壁部２１ｂに設けられた窓部Ｗ上に延設された部分から内側に向かって隆起している。
【００２６】
ガイドハウジング２１は、例えば、これら導体Ｍ１、導体Ｍ２、および導体Ｎ上に、樹脂が一体成型されることにより作成される。なお、導体Ｍ１、導体Ｍ２、および導体Ｎは、それぞれが設けられる内側面上で互いに干渉を避けた任意の位置に設けられ得る。
【００２７】
図２および図３に示すように、ガイド片２２ａとガイド片２２ｂとは、それぞれガイド溝ｇを内側面に備えている。図２（ａ）および図３に示すように、一対のガイド溝ｇが対向するようにガイド片２２ａとガイド片２２ｂとが配置されることにより、一対のガイド溝ｇが端子Ｌの挿通経路Ｐを構成する。挿通経路Ｐは、端子Ｌの挿入端側において、挿入口側に向かって内径が増大する形状をなしている。挿通経路Ｐの当該形状により、挿入される端子Ｌをコネクタ構造１内に誘い込む。
【００２８】
図６（ａ）に示すように、ガイド片２２ａは、ガイド溝ｇが形成された内側面を共通の面とする、本体２０１とストッパ２０２とを備えている。本体２０１の外側面Ｓ１は、ストッパ２０２の外側面Ｔ１よりも外側に突出している。本体２０１は、壁部２１ａに形成された窓部Ｗに嵌入可能な形状をなしている。ストッパ２０２の外側面Ｔ１は、第２の位置においてばね２２ｘの付勢力が解放されてガイド片２２ａが移動したときに、壁部２１ａの内側面に当接して、本体２０１の窓部Ｗへの嵌入深さを規制する。また、本体２０１の外側面Ｓ１上には、短絡パターンＥ１（第１の短絡パターン）が設けられている。短絡パターンＥ１は、外側面Ｓ１上をコネクタ構造長方向の一端側から他端側へ亘る導電パターンである。短絡パターンＥ１の一端側は、本体２０１がストッパ２０２により規制されるまで窓部Ｗに嵌入した状態において、導体Ｍ１の接点ｍ１１に当接する。短絡パターンＥ１の他端側は、本体２０１がストッパ２０２により規制されるまで窓部Ｗに嵌入した状態において、導体Ｎの接点ｎ１１に当接する。
【００２９】
図６（ｂ）に示すように、ガイド片２２ｂは、ガイド溝ｇが形成された内側面を共通の面とする、本体２０３とストッパ２０４とを備えている。ガイド片２２ｂは、短絡パターン以外はガイド片２２ｂと同じ構成でよい。本体２０３の外側面Ｓ２は、ストッパ２０４の外側面Ｔ２よりも外側に突出している。本体２０３は、壁部２１ｂに形成された窓部Ｗに嵌入可能な形状をなしている。ストッパ２０４の外側面Ｔ２は、第２の位置においてばね２２ｘの付勢力が解放されてガイド片２２ｂが移動したときに、壁部２１ｂの内側面に当接して、本体２０３の窓部Ｗへの嵌入深さを規制する。また、本体２０３の外側面Ｓ２上には、短絡パターンＥ２（第２の短絡パターン）が設けられている。短絡パターンＥ２は、外側面Ｓ２上をコネクタ構造１の高さ方向の一端側から他端側へ亘る導電パターンである。短絡パターンＥ２の一端側は、本体２０３がストッパ２０２により規制されるまで窓部Ｗに嵌入した状態において、導体Ｍ２の接点ｍ２１に当接する。短絡パターンＥ２の他端側は、本体２０３がストッパ２０４により規制されるまで窓部Ｗに嵌入した状態において、導体Ｎの接点ｎ１２に当接する。なお、ガイド片２２ａおよびガイド片２２ｂは、例えば一体成型された樹脂からなる。短絡パターンＥ１および短絡パターンＥ２は、例えば金属の印刷パターンまたは金属堆積薄膜からなる。短絡パターンＥ１および短絡パターンＥ２の中間の引回しルートは任意に設定し得る。
【００３０】
図２（ａ）および図３（ａ）の状態においては、ガイド片２２ａのストッパ２０２およびガイド片２２ｂのストッパ２０４は、基板２の開口部Ｚ中に挿入された位置にある。このとき、ガイド片２２ａの本体２０１の外側面Ｓ１は壁部２１ａの内側面に、ガイド片２２ｂの本体２０３の外側面Ｓ２は壁部２１ｂの内側面に、それぞれ当接しており、ばね２２ｘは圧縮状態にある。
【００３１】
図２（ａ）および図３（ａ）の状態から、図２（ｂ）のように押込み部１２が押し込まれることにより、押込み部１２がガイド片２２ａおよびガイド片２２ｂの基板２側の端部に当接しながらガイド片２２ａおよびガイド片２２ｂを基板２の裏面から遠ざかる方向に移動させる。
【００３２】
ガイド片２２ａおよびガイド片２２ｂが、本体２０１の外側面Ｓ１および本体２０３の外側面Ｓ２がともにそれまで当接していた壁部の内側面との当接が解除される第２の位置の高さまで移動すると、ばね２２ｘが伸張することにより、ガイド片２２ａとガイド片２２ｂとが挿通経路Ｐを挟んで方向ｊに沿って互いに離間する。これにより、ガイド片２２ａの本体２０１が壁部２１ａに設けられた窓部Ｗに嵌入され、ガイド片２２ｂの本体２０３が壁部２１ｂに設けられた窓部Ｗに嵌入される。
【００３３】
本体２０１および本体２０３の嵌入は、ガイド片２２ａのストッパ２０２の外側面Ｔ１が壁部２１ａの内側面に当接し、ガイド片２２ｂのストッパ２０４の外側面Ｔ２が壁部２１ｂの内側面に当接することにより完了する。嵌入が完了した位置はガイド片２２ａおよびガイド片２２ｂの正規の退避位置である。このようにガイド片２２ａおよびガイド片２２ｂが初期の未開放態から開放状態となって適正な位置に移動完了した場合には、図２（ｂ）、図４（ａ）、および図４（ｂ）に示すように、外側面Ｓ１上の短絡パターンＥ１が導体Ｍ１の接点ｍ１１および導体Ｎの接点ｎ１１に当接するとともに、外側面Ｓ２上の短絡パターンＥ２が導体Ｍ２の接点ｍ２１および導体Ｎの接点ｎ１２に当接する。
【００３４】
図４（ａ）および図４（ｂ）に示すように、短絡パターンＥ１は、ガイドハウジング２１に設けられた、導体Ｍ１、導体Ｍ２、および導体Ｎを含んだ導体パターンの一部どうしである導体Ｍ１と導体Ｎとを短絡させる。短絡パターンＥ２は、ガイドハウジング２１に設けられた当該導体パターンの一部どうしである導体Ｎと導体Ｍ２とを短絡させる。この結果、導体Ｍ１は、短絡パターンＥ１と導体Ｎと短絡パターンＥ２とを順に介して、導体Ｍ２と導通する。
【００３５】
[ガイド部と基板との接続構成およびコネクタ構造の検査]
次に、図７を用いて、ガイド部１ｂと基板２との接続構成と、当該接続構成を用いたコネクタ構造１の検査を説明する。
【００３６】
図７（ａ）に、ガイド部１ｂと基板２との接続構成例を示す。ここでは、コネクタ１ａの図示は省略してある。ガイドハウジング２１の導体Ｍ１が有する接続端子ｍ１０は、基板２の裏面に形成された回路パターンＲ１１に接続されている。ガイドハウジング２１の導体Ｍ２が有する接続端子ｍ２０は、基板２の裏面に形成された回路パターンＲ２１に接続されている。
【００３７】
回路パターンＲ１１は、基板２に形成されたビアＨ１を介して基板２の表面に形成された回路パターンＲ１２と接続されている。回路パターンＲ２１は、基板２に形成されたビアＨ２を介して基板２の表面に形成された回路パターンＲ２２と接続されている。回路パターンＲ１２は基板２の表面に形成された検査端子ＴＰ１に接続されており、回路パターンＲ２２は基板２の表面に形成された検査端子ＴＰ２に接続されている。接続端子ｍ１０から検査端子ＴＰ１に至る導通経路と、接続端子ｍ２０から検査端子ＴＰ２に至る導通経路とは、端子Ｌがコネクタ構造１に挿入される前の状態において互いに電気的に分離されている。
【００３８】
コネクタ構造１が基板２に実装された状態で、端子Ｌがコネクタ構造１に挿入されて押込み部１２が押し込まれた後に、検査端子ＴＰ１と検査端子ＴＰ２との間が導通しているか否かが検査される。検査において、例えば、テスタのプローブを検査端子ＴＰ１と検査端子ＴＰ２とに接触させ、電圧を印加して規定の電流が流れるか否かを確認する。ガイド片２２ａおよびガイド片２２ｂが正常に開放されていれば、検査端子ＴＰ１と検査端子ＴＰ２との間は導通状態となる。ガイド片２２ａおよびガイド片２２ｂが正常に開放されていなければ、検査端子ＴＰ１と検査端子ＴＰ２との間が導通不良状態となる。
【００３９】
図７（ｂ）に、図７（ａ）の構成を応用することにより図１に示す複数のコネクタ構造１をまとめて検査する構成を示す。複数のコネクタ構造１が、接続端子ｍ１０どうしの間、接続端子ｍ２０どうしの間、または、接続端子ｍ１０と接続端子ｍ２０との間を結ぶように、任意の回路パターンＲｘによって直列に接続されている。当該直列接続の一端は検査端子ＴＰ１に接続されており、当該直列接続の他端は検査端子ＴＰ２に接続されている。全てのコネクタ構造１においてガイド片２２ａおよびガイド片２２ｂが正常に開放されていれば、検査端子ＴＰ１と検査端子ＴＰ２との間は導通状態となる。１つ以上のコネクタ構造１においてガイド片２２ａおよびガイド片２２ｂが正常に開放されていなければ、検査端子ＴＰ１と検査端子ＴＰ２との間が導通不良状態となる。図１に示した３つのコネクタ構造１に限らず、任意の複数のコネクタ構造１をこのように直列に接続して検査してもよい。
【００４０】
例えば、基板２には、このように実装されるコネクタ構造１の数および配置に応じた実装用のランドが予め形成される。図１に示すように、基板２に実装されたコネクタ構造１は、挿入される端子Ｌをガイド部１ｂによって誘い込む。端子Ｌが挿入された状態から、押込み部１２の押込みにより、ガイド片２２ａおよびガイド片２２ｂが開放状態とされ、組付け完成状態となる。組付け完成状態において、検査端子ＴＰ１および検査端子ＴＰ２を介した導体パターンの導通検査の結果が良好であれば、基板２が図１に示すユニット３にボルトで締結されるなどして基板２とユニット３とが導通可能な状態とされる。正常に開放状態となったガイド片２２ａおよびガイド片２２ｂは退避位置にあり、挿入された端子Ｌと干渉しない。
【００４１】
［実施の形態の効果等］
以上のように、本実施形態のコネクタ構造１によれば、端子Ｌが挿通経路Ｐを介してコネクタ１ａへ挿入された状態で、２つのガイド片２２ａおよびガイド片２２ｂが第１の位置から第２の位置へ移動すると、２つのガイド片２２ａおよびガイド片２２ｂは付勢力によって挿通経路Ｐを挟んで互いに離間する方向に移動する。この移動により、２つのガイド片２２ａおよびガイド片２２ｂの一方に設けられた第１の短絡パターン（短絡パターンＥ１）がハウジング（ガイドハウジング２１）に設けられた第１の導体（導体Ｍ１）と第３の導体（導体Ｎ）とを短絡させ、２つのガイド片２２ａおよびガイド片２２ｂの他方に設けられた第２の短絡パターン（短絡パターンＥ２）がハウジング（ガイドハウジング２１）に設けられた第２の導体（導体Ｍ２）と第３の導体（導体Ｎ）とを短絡させる。これにより、第１の導体（導体Ｍ１）と第２の導体（導体Ｍ２）とが導通する、すなわち導体パターンの全体が導通する。
【００４２】
従って、第１の導体（導体Ｍ１）の一端（接続端子ｍ１０）および第２の導体（導体Ｍ２）の一端（接続端子ｍ２０）が接続された基板２から、導体パターンの全体が導通しているか否かを検査することにより、２つのガイド片２２ａおよびガイド片２２ｂが適正な位置に移動したか否かを検査することができる。以上により、端子の挿入後に端子をガイドする部材が適正な位置に移動したか否かが容易に分かるコネクタ構造を提供することができる。
【産業上の利用可能性】
【００４３】
本発明は、例えば、車載機器をワイヤで接続するコネクタ構造などを含むコネクタ構造一般に適用可能である。
【符号の説明】
【００４４】
１            コネクタ構造
１ａ          コネクタ
１ｂ          ガイド部
２            基板
３            ユニット
１１          コネクタハウジング
１２          押込み部
２１          ガイドハウジング
２１ａ、２１ｂ、２１ｃ、２１ｄ          壁部
２２ａ、２２ｂ          ガイド片
２２ｘ        ばね
２０１、２０３          本体
２０２、２０４          ストッパ
Ｅ１、Ｅ２          短絡パターン
Ｆ            力
ｇ            ガイド溝
Ｈ１、Ｈ２          ビア
ｉ、ｊ、ｋ    方向
Ｍ１、Ｍ２、Ｎ          導体
ｍ１０、ｍ２０          接続端子
ｍ１１、ｍ２１、ｎ１１、ｎ１２          接点
Ｐ            挿通経路
ｑ１、ｑ２、ｒ        フィーダ部
Ｒ１１、Ｒ１２、Ｒ２１、Ｒ２２          回路パターン
Ｓ１、Ｓ２    外側面
Ｔ１、Ｔ２    外側面
ＴＰ１、ＴＰ２          検査端子
Ｗ            窓部
Ｚ            貫通孔
【図１】
2017142905.tif 000003
【図２】
2017142905.tif 000004
【図３】
2017142905.tif 000005
【図４】
2017142905.tif 000006
【図５】
2017142905.tif 000007
【図６】
2017142905.tif 000008
【図７】
2017142905.tif 000009